(57)【要約】【課題】不正開封防止機能と分別回収機能とを兼ね備えた不正開封防止及び分別回収機能付キャップを提供する。【解決手段】キャップ本体の周壁の前方外周上端縁部に、弯出部分を中央にもつ不正開封防止用帯体を複数個の脆弱小ブリッジで接続し、左側後方外周上端縁部に、上方部左側につまみ部をもち下方部左側辺に切欠き線をもつ分別切断用帯部を突設し、分別切断用帯部の下端辺左端からキャップ本体の周壁下端に達する縦の薄肉脆弱線を形成し、下端辺右端から前方へ傾斜しキャップ本体の周壁下端に達する斜めの薄肉脆弱線を形成し、右側辺上端縁部からキャップ本体の周壁上端に沿って前方側へ横の薄肉脆弱線を形成し、蓋のヒンジ対向側前方部に、不正開封防止用帯体の弯出部分の内側に収容可能な開閉用つばを突設し、周壁の左側後方外周下端縁部に、分別切断用帯部を収容するカバー部を突設する。【選択図】図１
2005212816.tif 000002
【特許請求の範囲】
【請求項１】
プルリングで開口するキャップ本体の後方部に、ヒンジを介して開閉可能に蓋が接続するキャップにおいて、前記キャップ本体の周壁の前方外周上端縁部に、内面上端に嵌着用凸部を設ける弯出部分を中央に形成する不正開封防止用帯体を、前記弯出部分を前記キャップ本体の前記ヒンジの対向側に対向させて、周方向にほぼ等間隔で並ぶ複数個の脆弱小ブリッジで接続し、左側後方外周上端縁部に、上方部の左側につまみ部を後方周方向へもち下方部の左側辺に切欠き線をもつ分別切断用帯部を突設し、該分別切断用帯部の下端辺左端から前記キャップ本体の周壁の下端に達する縦の薄肉脆弱線を形成し、前記分別切断用帯部の下端辺右端から前方側へ傾斜し前記キャップ本体の周壁の下端に達する斜めの薄肉脆弱線を形成し、前記分別切断用つまみの右側辺上端縁部から前記キャップ本体の周壁の上端に沿って周方向前方側へ所定位置まで横の薄肉脆弱線を形成し、前記蓋の前記ヒンジの対向側の前方部に、前記不正開封防止用帯体の弯出部分の内側に収容可能な開閉用つばを突設し、該開閉用つばの上面外周縁部に、前記不正開封防止用帯体の嵌着用凸部と嵌合する嵌着用凹部を設け、前記蓋の周壁の左側後方外周下端縁部の前記キャップ本体の分別切断用帯部の対応位置に、分別切断用帯部を収容するカバー部を後方周方向へ突設したことを特徴とする不正開封防止及び分別回収機能付キャップ。
【発明の詳細な説明】
【技術分野】
【０００１】
本発明は、プルリングで開封するキャップ本体に蓋がヒンジを介して開閉し、流通過程で不正開封がしにくく、使用後には容器本体から分別回収し易い不正開封防止及び分別回収機能付キャップに関するものである。
【背景技術】
【０００２】
従来、市場の店頭などでの商品の不正開封、例えば、ＰＥＴボトル（ポリエチレンテレフタレートを二軸延伸ブロー成形したボトル）の口頸部には、キャップ本体にヒンジを介して蓋が接続するキャップが装着されているが、このキャップの蓋が故意に開けられ、キャップ本体の注出筒に収容されているプルリングを引っ張って、注出筒の内側下方の封鎖板に設けられいる環状薄肉脆弱線を破断してキャップ本体を開封したのち、再度、蓋をキャップ本体に閉じて、そのまま店頭に戻すと言う悪戯が多く見られていた。また、最近では、環境保全の問題から、使用後のボトルを廃棄処理するときに、材質の異なる各部品を材質ごとに分別して回収する機運が高まって来ていた。このため、キャップに不正開封防止機能をもたせたキャップや、廃棄処理時にボトルから分別回収がし易くしたキャップについて、これまでに、数多くの発明や考案がなされて来た。
【発明の開示】
【発明が解決しようとする課題】
【０００３】
しかしながら、ボトルの口頸部に装着されるキャップにおいて、流通過程での不正開封防止機能と廃棄処理時の分別回収機能とを一つキャップで兼ね備えたキャップは、まだ開発されていなかった。
【０００４】
本発明は、上述の従来のキャップの流通時や廃棄処理時の問題点を解決したものであり、流通過程での不正開封防止機能と廃棄処理時の分別回収機能とを二つの機能を兼ね備えた不正開封防止及び分別回収機能付キャップを提供するものである。
【課題を解決するための手段】
【０００５】
すなわち、本発明の発明は、プルリングで開口するキャップ本体の後方部に、ヒンジを介して開閉可能に蓋が接続するキャップにおいて、前記キャップ本体の周壁の前方外周上端縁部に、内面上端に嵌着用凸部を設ける弯出部分を中央に形成する不正開封防止用帯体を、前記弯出部分を前記キャップ本体の前記ヒンジの対向側に対向させて、周方向にほぼ等間隔で並ぶ複数個の脆弱小ブリッジで接続し、左側後方外周上端縁部に、上方部の左側につまみ部を後方周方向へもち下方部の左側辺に切欠き線をもつ分別切断用帯部を突設し、この分別切断用帯部の下端辺左端から前記キャップ本体の周壁の下端に達する縦の薄肉脆弱線を形成し、前記分別切断用帯部の下端辺右端から前方側へ傾斜し前記キャップ本体の周壁の下端に達する斜めの薄肉脆弱線を形成し、前記分別切断用帯部の右側辺上端縁部から前記キャップ本体の周壁の上端に沿って周方向前方側へ所定位置まで横の薄肉脆弱線を形成し、前記蓋の前記ヒンジの対向側の前方部に、前記不正開封防止用帯体の弯出部分の内側に収容可能な開閉用つばを突設し、この開閉用つばの上面外周縁部に、前記不正開封防止用帯体の嵌着用凸部と嵌合する嵌着用凹部を設け、前記蓋の周壁の左側後方外周下端縁部の前記キャップ本体の分別切断用帯部の対応位置に、分別切断用帯部を収容するカバー部を後方周方向へ突設したことを特徴とする不正開封防止及び分別回収機能付キャップである。
【発明の効果】
【０００６】
本発明の不正開封防止及び分別回収機能付キャップ（１０）は、図３（ａ）又は（ｂ）
に示すように、キャップ本体（１００）に蓋（２００）を閉じると、蓋の開閉用つば（２３０）の上面外周縁部に設けられた嵌着用凹部（２３１）が、キャップ本体の外周に脆弱小ブリッジ（１７０）で接続する不正開封防止用帯体（１６０）の弯出部分（１６１）の内面上端に設けられた嵌着用凸部（１６２）と嵌合して、蓋の開閉用つば（２３０）が不正開封防止用帯体の弯出部分（１６１）の内側に収容される。このため、不正開封防止用帯体を脆弱小ブリッジを切断して取り去らない限りは、蓋を開閉用つばで開くことができない。この結果、不正開封（悪戯）を防止できる。また、流通過程で不正開封されたことは、外観から容易に確認することができる。
【０００７】
図３（ｃ）に示すキャップ本体（１００）の左側後方外周上端縁部に突設する分別切断用帯部（１８０）の上方左側に設けられたつまみ部（１８１）を指でつまんで前方側へ引き上げると、分別切断用帯部の下端辺左端からキャップの周壁の下端に達する縦の薄肉脆弱線（１５１）が切断され、分別切断用帯部の下端辺右端から前方側へ傾斜しキャップ本体の周壁の下端に達する斜めの薄肉脆弱線（１５２）が折れ曲がり又は切断され、分別切断用帯部の右側辺上端縁部から周壁の上端に沿って周方向前方側へ設けられた横の薄肉脆弱線（１５３）が切断されて、ボトルの口頸部からキャップが容易に外れて来る。このため、材質ごとの分別回収が容易となる。
【０００８】
なお、上述のキャップ本体（１００）の周壁の左側後方外周上端縁部に設けられた分別切断用帯部（１８０）は、図２（ｂ）に示すように、キャップ（１０）が未開封の場合には、蓋の周壁の左側後方外周下端縁部に設けられたカバー部（２４０）で覆われているため、誤って使用されることがない。
【発明を実施するための最良の形態】
【０００９】
次に、本発明の不正開封防止及び分別回収機能付キャップの一実施形態について、図を用いて詳細に説明する。
【００１０】
図１は、本実施形態の不正開封防止及び分別回収機能付キャップの蓋を開いた状態の平面図である。図２（ａ）は、図１のキャップのキャップ本体に蓋を装着したときの正面図であり、図２（ｂ）は、左側面図である。図２（ｃ）は、不正開封防止用帯体を取り外して蓋を開いたときのキャップ本体の左側面図である。図３（ａ）は、図１のキャップのキャップ本体に蓋を装着したときの平面図であり、図３（ｂ）は、Ａ−Ａ’断面における蓋の開閉用つばの嵌着用凹部と不正開封防止用帯体の嵌着用凸部との嵌合状態を示す断面図である。
【００１１】
本実施形態の不正開封防止及び分別回収機能付キャップ（１０）は、図１に示すように、プルリング（１４４）で注出筒（１３０）の内側の封止する封鎖板（１４０）を開口するキャップ本体（１００）に、ヒンジ（３００）を介して開閉可能に蓋（２００）が接続するキャップであり、流通過程時における不正開封防止機能と使用後の廃棄処分時の分別回収機能との二つ機能を兼ね備えるキャップである。なお、本実施形態のキャップは、脆弱小ブリッジや薄肉脆弱線をもちこれらを破断する必要があるため、破断可能な低密度ポリエチレンなどの熱可塑性樹脂を用いて、射出成形法によりキャップ本体と蓋と一体に成形するものである。
【００１２】
本実施形態のキャップ本体（１００）の構造は、図１に示すように、天板（１１０）の周縁部に外周に沿って液垂れ防止リング（１２０）を立設し、その内側の天板に注出筒（１３０）を立設し、この注出筒の内側下方に封鎖板（１４０）を設けて封鎖し、この封鎖板の開口予定位置に、下面に切込みを設けて上面に環状薄肉脆弱線（１４２）を形成し、この環状薄肉脆弱線の内側近傍位置に、先端にプルリング（１４４）をもつ支柱（図示せず）を突設するものであり、そして、周壁（１５０）の外周上端には、内面上端に嵌着用
凸部（１６２）を設ける弯出部分（１６１）を中央に形成する不正開封防止用帯体（１６０）を、弯出部分をキャップ本体（１００）のヒンジ（３００）の対向側に対向させて、周方向に等間隔で並ぶ複数個の脆弱小ブリッジ（１７０）で接続するものである。そして、図２（ｃ）に示すように、周壁（１５０）の左側後方外周上端縁部に、上方部の左側につまみ部（１８１）を後方周方向へもち下方部の左側辺に切欠き線（１８２）をもつ分別切断用帯部（１８０）を突設し、この分別切断用帯部の下端辺左端からキャップ本体（１００）の周壁（１５０）の下端に達する縦の薄肉脆弱線（１５１）を形成し、分別切断用帯部の下端辺右端から前方側へ傾斜しキャップ本体の周壁の下端に達する斜めの薄肉脆弱線（１５２）を形成し、分別切断用帯部の右側辺上端縁部からキャップ本体の周壁の上端に沿って周方向前方側へ所定位置（装着するボトル口頸部からキャップを取り外せる位置）まで横の薄肉脆弱線（１５３）を形成するものである。なお、天板（１１０）下面には、図３（ｂ）に示すように、ボトルの口部を封止するためのインナー封止リング（１１１）（外周面を口部内周面に密接）を垂設し、このインナー封止リングの外側にコンタクト封止リング（１１２）（先端を口部天面に密接）を設けるものである。
【００１３】
蓋（２００）の構造は、図１に示すように、天板（２１０）と周壁（２２０）とからなり、天板の下面に、キャップ本体（１００）の注出筒（１３０）を封止するインナー封止リング（２１１）（内周面を注出筒内周面に密接）を垂設し、ヒンジ（３００）の対向側の周壁外周面下端に、不正開封防止用帯体（１６０）の弯出部分（１６１）の内側に収容可能な開閉用つば（２３０）を突設し、この開閉用つばの上面外周縁部に、不正開封防止用帯体の嵌着用凸部（１６２）と嵌合する嵌着用凹部（２３１）を設けるものである。また、図１及び図３（ｂ）に示すように、周壁（２２０）の内周面下方に、キャップ本体（１００）の液垂れ防止リング（１２０）を封止するコンタクト封止リング（２２１）（先端が液垂れ防止リングの上面に密接）を設けるものである。
【００１４】
蓋（２００）をキャップ本体に閉じると、図３（ａ）に示すように、蓋の開閉用つば（２３０）がキャップ本体の不正開封防止用帯体（１６０）の弯出部分（１６１）に収容された状態で嵌着する。この本実施形態の不正開封防止及び分別回収機能付キャップは、内容物を充填したボトルの口頸部に螺合又は咬合により装着されるものである。ボトルを開封して内容物を注出するときは、まず、蓋の開閉用つばを収容して取り囲む不正開封防止用帯体を取り外し、開閉用つばにより蓋を後方へ開き、次に、注出筒内に収容されているプルリングを上方へ引っ張って、注出筒の内側の封鎖板に設けられている環状薄肉脆弱線を破断して開口してボトルを開封し、このボトルを傾斜させて内容物を注出筒から注出するものである。
【００１５】
そして、空になったボトルを廃棄処理するときは、キャップ本体の胴部に設けられている分別切断用帯部のつまみ部（１８１）を指でつまんで前方側へ引き上げ、胴部に設けられている縦、斜め及び横の薄肉脆弱線を切断して、ボトル口頸部からキャップを取り外して分別回収して廃棄するものである。
【図面の簡単な説明】
【００１６】
【図１】本発明の一実施形態の不正開封防止及び分別回収機能付キャップの蓋を開いた状態の平面図である。
【図２】（ａ）は、図１のキャップのキャップ本体に蓋を装着したときの正面図であり、（ｂ）は、左側面図である。（ｃ）は、不正開封防止用帯体を取り外して蓋を開いたときのキャップ本体の左側面図である。
【図３】（ａ）は、図１のキャップのキャップ本体に蓋を装着したときの平面図であり、（ｂ）は、Ａ−Ａ’断面における蓋の開閉用つばの嵌着用凹部と不正開封防止用帯体の嵌着用凸部との嵌合状態を示す断面図である。
【符号の説明】
【００１７】
１０……キャップ
１００……キャップ本体
１１０，２１０……天板
１１１，２１１……インナー封止リング
１１２，２２１……コンタクト封止リング
１２０……液垂れ防止リング
１３０……注出筒
１４０……封鎖板
１４２……環状薄肉脆弱線
１４４……プルリング
１５０，２２０……周壁
１５１……縦の薄肉脆弱線
１５２……斜めの薄肉脆弱線
１５３……縦の薄肉脆弱線
１６０……不正開封防止用帯体
１６１……弯出部
１６２……嵌着用凸部
１７０……脆弱小ブリッジ
１８０……分別切断用帯部
１８１……つまみ部
１８２……切欠き線
２００……蓋
２３０……開閉用つば
２３１……嵌着用凹部
２４０……カバー部
３００……ヒンジ
【図１】
2005212816.tif 000003
【図２】
2005212816.tif 000004
【図３】
2005212816.tif 000005